(57)【要約】【課題】使用者の着座姿勢のずれを適切に抑制できる座位保持具を提供する。【解決手段】座位保持具１は、上下方向に並んで配置された座部２Ａと背凭れ部２Ｂとを有する袋状のカバー２と、カバー２の内部に設けられ、非通気性を有する袋状の吸気袋と、吸気袋の内部に連通し、吸気袋から空気を抜くための吸気機構５と、吸気袋の内部に収容された発泡ビーズとを備える。座位保持具１は、吸気機構５を介して吸気袋から空気を抜くことによって、形状を固定できる。このため、座位保持具１は、着座した状態の使用者の着座姿勢を適切に維持できる。【選択図】図１
2018149021.tif 000002
【特許請求の範囲】
【請求項１】
座部と背凭れ部とを有する袋状のカバーと、
非通気性を有する袋状の吸気袋であって、
前記カバーの前記座部の内部に配置され、第１密閉空間を形成する座部袋、及び、
前記カバーの前記背凭れ部の内部に配置され、前記第１密閉空間と異なる第２密閉空間を形成する背凭れ部袋
を有する吸気袋と、
前記カバーの前記座部と前記背凭れ部との境界部分、及び、前記吸気袋の前記座部袋と前記背凭れ袋との境界部分のそれぞれに設けられ、折り曲げ可能な折り曲げ部と、
前記吸気袋の内部に連通し、前記吸気袋から空気を抜くための吸気機構と、
前記吸気袋の内部に収容された発泡ビーズと
を備えたことを特徴とする座位保持具。
【請求項２】
前記背凭れ部袋は、
前記カバーの前記座部と前記背凭れ部との配列方向に沿って延びる２つの部位であって、前記配列方向と直交する方向に離隔して配置された一対の胴体保持部と
前記一対の胴体保持部のそれぞれの、前記配列方向のうち前記座部側と反対側の端部の間に亘って設けられた頭保持部と
を有することを特徴とする請求項１に記載の座位保持具。
【請求項３】
前記座部袋は、
前記カバーの前記座部と前記背凭れ部との配列方向に沿って延びる２つの部位であって、前記配列方向と直交する方向に離隔して配置された一対の第１脚保持部と
前記一対の第１脚保持部のそれぞれの、前記配列方向のうち前記背凭れ部側と反対側の端部の間に亘って設けられた第２脚保持部と
を有することを特徴とする請求項１又は２に記載の座位保持具。
【請求項４】
前記カバーのうち前記一対の胴体保持部の間の部分に対応する位置に設けられた背凭れ部緩衝材を更に備えたことを特徴とする請求項２に記載の座位保持具。
【請求項５】
前記カバーのうち前記一対の第１脚保持部の間の部分に対応する位置に設けられた座部緩衝材を更に備えたことを特徴とする請求項３に記載の座位保持具。
【請求項６】
前記発泡ビーズを収容し、通気性を有する袋状の複数の区画袋を更に備え、
前記吸気袋は、前記複数の区画袋を収容することを特徴とする請求項１から５の何れかに記載の座位保持具。
【請求項７】
それぞれの前記区画袋は、内部空間を仕切って２つに分割する仕切り部を備えたことを特徴とする請求項６に記載の座位保持具。
【請求項８】
前記吸気機構は、
前記座部袋から空気を抜くための座部吸気機構と、
前記背凭れ部袋から空気を抜くための背凭れ部吸気機構と
を備えたことを特徴とする請求項１から７の何れかに記載の座位保持具。
【請求項９】
前記カバー及び前記吸気袋のそれぞれに設けられた貫通孔に挿通するベルトを更に有することを特徴とする請求項１から８の何れかに記載の座位保持具。
【請求項１０】
前記カバーは、保冷剤を収容可能なポケットを有することを特徴とする請求項１から９の何れかに記載の座位保持具。
【発明の詳細な説明】
【技術分野】
【０００１】
本発明は、椅子に固定されて使用される座位保持具に関する。
【背景技術】
【０００２】
体の不自由な使用者が椅子等に着座した場合、着座姿勢のずれが生じ易く、快適な着座姿勢が崩れてしまう場合が多い。このため、着座姿勢のずれを防止するための座位保持具が提案されている。例えば特許文献１は、Ｕ字型のクッション本体を備えた座位保持用クッションを開示する。座位保持用クッションは、使用者が着座した場合、クッション本体の２つの直線部の間が沈み込む。これによって、使用者の上半身は、クッション本体の２つの直線部によって左右両側から挟まれる。又、使用者の臀部は、クッション本体の屈曲部によって下側から保持される。このため、使用者の上半身及び臀部の位置ずれが抑制される。
【先行技術文献】
【特許文献】
【０００３】
【特許文献１】特開２０１７−６５５３号公報
【発明の概要】
【発明が解決しようとする課題】
【０００４】
座位保持用クッションは、クッション本体の２つの直線部の間の沈み込みに応じてクッション本体が変形することによって、使用者の着座姿勢のずれが抑制される。ここで、座位保持用クッションが載置される椅子等の形状によっては、上記の沈み込みの程度が小さくなる場合がある。この場合、クッション本体の変形量も小さくなるので、使用者の体を適切に保持できない。このように、座位保持用クッションは、使用者の着座姿勢のずれを抑制できない場合があるという問題点がある。
【０００５】
本発明の目的は、使用者の着座姿勢のずれを適切に抑制できる座位保持具を提供することである。
【課題を解決するための手段】
【０００６】
本発明の座位保持具は、座部と背凭れ部を有する袋状のカバーと、非通気性を有する袋状の吸気袋であって、前記カバーの前記座部の内部に配置され、第１密閉空間を形成する座部袋、及び、前記カバーの前記背凭れ部の内部に配置され、前記第１密閉空間と異なる第２密閉空間を形成する背凭れ部袋を有する吸気袋と、前記カバーの前記座部と前記背凭れ部との境界部分、及び、前記吸気袋の前記座部袋と前記背凭れ袋との境界部分のそれぞれに設けられ、折り曲げ可能な折り曲げ部と、前記吸気袋の内部に連通し、前記吸気袋から空気を抜くための吸気機構と、前記吸気袋の内部に収容された発泡ビーズとを備えたことを特徴とする。
【０００７】
座位保持具は、吸気袋から吸気機構を介して空気を抜くことによって、吸気袋内で発泡ビーズを密着させて固定できる。このため例えば、使用者が座位保持具に着座した状態で、座位保持具の一部が、使用者の脚の側部に沿うように変形される。又、座位保持具の他の一部が、使用者の頭及び胴体の側部に沿うように変形される。その後、吸気袋から空気が抜かれる。この場合、座位保持具の一部は、使用者の頭、胴体、及び、脚のそれぞれの側部に沿った状態で固定される。つまり、使用者は、着座した状態で、座位保持具によって体全体が支持される。このため、使用者の着座姿勢は、座位保持具によって適切に維持される。従って、座位保持具は、使用者の着座姿勢がずれることを適切に抑制できる。
【０００８】
又、座位保持具は、座部袋と背凭れ部袋との間で発泡ビーズが移動することを防止できる。従って、座位保持具は、発泡ビーズの偏在化を防止できるので、使用者の体全体を均一に支持できる。このため、座位保持具は、使用者の着座姿勢がずれることを更に適切に抑制できる。
【０００９】
更に、使用者は、座位保持具を折り曲げ部で折り曲げて使用することによって、座部を椅子の座面に沿って配置させ、且つ、背凭れ部を椅子の背凭れに沿って配置させることができる。又、座位保持具は、折り曲げ部によって折りたたむことで小型化できるので、使用者による持ち運びを容易化できる。
【００１０】
本発明において、前記背凭れ部袋は、前記カバーの前記座部と前記背凭れ部との配列方向に沿って延びる２つの部位であって、前記配列方向と直交する方向に離隔して配置された一対の胴体保持部と、前記一対の胴体保持部のそれぞれの、前記配列方向のうち前記座部側と反対側の端部の間に亘って設けられた頭保持部とを有してもよい。この場合、座位保持具は、一対の胴体保持部に対応する部分によって使用者の胴体を左右両側から適切に支持できる。又、座位保持具は、頭保持部に対応する部分によって使用者の頭全体を適切に支持できる。従って、座位保持具は、使用者の上半身を適切に支持することによって、使用者の着座姿勢がずれることを抑制できる。
【００１１】
本発明において、前記座部袋は、前記カバーの前記座部と前記背凭れ部との配列方向に沿って延びる２つの部位であって、前記配列方向と直交する方向に離隔して配置された一対の第１脚保持部と、前記一対の第１脚保持部のそれぞれの、前記配列方向のうち前記背凭れ部側と反対側の端部の間に亘って設けられた第２脚保持部とを有してもよい。この場合、座位保持具は、一対の第１脚保持部によって使用者の腰から脚の付け根に亘る部分を左右両側から適切に支持できる。又、座位保持具は、第２脚保持部に対応する部分によって使用者の脚の膝裏部分を適切に支持できる。従って、座位保持具は、使用者の下半身を適切に支持することによって、使用者の着座姿勢がずれることを抑制できる。
【００１２】
本発明において、前記カバーのうち前記一対の胴体保持部の間の部分に対応する位置に設けられた背凭れ部緩衝材を更に備えてもよい。この場合、使用者が座位保持具に着座したときに、使用者の背中に背凭れ部緩衝材を接触させることができる。このため、座位保持具は、使用者が着座したときの衝撃を和らげたり、床ずれを防止したりできる。
【００１３】
本発明において、前記カバーのうち前記一対の第１脚保持部の間の部分に対応する位置に設けられた座部緩衝材を更に備えてもよい。この場合、使用者が座位保持具に着座したときに、使用者の尻に座部緩衝材を接触させることができる。このため、座位保持具は、使用者が着座したときの衝撃を和らげたり、床ずれを防止したりできる。
【００１４】
本発明において、前記発泡ビーズを収容し、通気性を有する袋状の複数の区画袋を更に備え、前記吸気袋は、前記複数の区画袋を収容してもよい。この場合、座位保持具は、吸気袋内で発泡ビーズが偏在化することを防止できる。従って、座位保持具は、吸気袋から空気が抜かれた場合において、吸気袋の全域に亘って固定化できるので、座位保持具全体で使用者を均一に支持できる。このため、座位保持具は、使用者の着座姿勢がずれることを更に適切に抑制できる。
【００１５】
本発明において、それぞれの前記区画袋は、内部空間を仕切って２つに分割する仕切り部を備えてもよい。この場合、座位保持具は、区画袋内で発泡ビーズが偏在化することを適切に防止できる。
【００１６】
本発明において、前記吸気機構は、前記座部袋から空気を抜くための座部吸気機構と、前記背凭れ部袋から空気を抜くための背凭れ部吸気機構とを備えてもよい。この場合、座位保持具は、座部袋と背凭れ部袋とのそれぞれから別々に空気を抜くことができる。従って、座位保持具は、座部袋に対応する部分によって使用者の下半身のみ支持した状態とすることができる。同様に、座位保持具は、背凭れ部袋に対応する部分によって使用者の上半身のみ支持した状態とすることができる。更に、座位保持具は、座部袋から空気を抜く作業と、背凭れ部袋から空気を抜く作業とを別々に行うことができる。従って、使用者は、座位保持具から空気を抜くそれぞれの作業を効率的に実行できる。
【００１７】
本発明において、前記カバー及び前記吸気袋のそれぞれに設けられた貫通孔に挿通するベルトを更に有してもよい。この場合、座位保持具は、カバーと吸気袋とを、ベルトによって椅子に固定させることができるので、座位保持具が椅子からずれることを防止できる。又、座位保持具は、カバーと吸気袋との相対位置がずれることを、ベルトによって防止できる。
【００１８】
本発明において、前記カバーは、保冷剤を収容可能なポケットを有してもよい。この場合、座位保持具は、使用者の着座姿勢を維持しつつ、使用者の局部を保冷剤によって冷却できる。
【図面の簡単な説明】
【００１９】
【図１】座位保持具１を前側から見た斜視図である。
【図２】座位保持具１を後側からみた斜視図である。
【図３】カバー２の正面図である。
【図４】カバー２の背面図である。
【図５】吸気袋３の正面図である。
【発明を実施するための形態】
【００２０】
本発明を具現化した一実施形態について、図面を参照して説明する。図１、図２に示すように、例えば座位保持具１は、後述するカバー２の座部２Ａと背凭れ部２Ｂとの境界部分が折り曲げられた状態で椅子９に固定され、使用される。使用者は、椅子９に固定された状態の座位保持具１に着座することによって、着座姿勢が維持される。なお以下では、座位保持具１が固定される対象が椅子９であることを前提として説明する。しかし、座位保持具１が固定される対象は、椅子９に限定されず、例えば車椅子等に固定されてもよい。座位保持具１は、カバー２、吸気袋３（図５参照）、吸気機構５、及び、ベルト６を有する。
【００２１】
＜カバー２＞
カバー２は、対向する２枚の略長方形の布地の周縁部を縫い合わせて成形された袋状を有する。カバー２には、後述する吸気袋３（図５参照）が収容される。カバー２は、座部２Ａ及び背凭れ部２Ｂを有する。座部２Ａは、椅子９の座面９Ａに載置される。背凭れ部２Ｂは、椅子９の背凭れ９Ｂに固定される。以下、説明を容易化するために、折り曲げられていない状態のカバー２の方向を定義する。図３の上側、下側、左側、右側、前側、及び、後側は、それぞれ、折り曲げられていない状態のカバー２の上側、下側、左側、右側、前側、及び、後側に対応する。図３に示すように、カバー２の前側の面を「前面２１」という。図４に示すように、カバー２の後側の面を「後面２２」という。
【００２２】
図３に示すように、カバー２は、折り曲げ可能な第１折り曲げ部２０を有する。第１折り曲げ部２０は、左右方向に直線状に延びる縫い目によって形成される。第１折り曲げ部２０は、カバー２の上下方向略中央よりも下側に配置される。座面９Ａは、カバー２のうち第１折り曲げ部２０よりも下側の部分に対応し、背凭れ部２Ｂは、カバー２のうち第１折り曲げ部２０よりも上側の部分に対応する。座部２Ａ及び背凭れ部２Ｂは、上下方向に並んで配置される。座部２Ａの上下方向の長さは、背凭れ部２Ｂの上下方向の長さの略１／２である。
【００２３】
図３、図４に示すように、カバー２の側面に貫通孔２３Ａ、２３Ｂ（総称して「貫通孔２３」という。）、２４Ａ、２４Ｂ（総称して「貫通孔２４」という。）、２５Ａ、２５Ｂ（総称して「貫通孔２５」という。）が設けられる。貫通孔２３は、カバー２の座部２Ａの左右両側に設けられる。貫通孔２４、２５は、カバー２の背凭れ部２Ｂの左右両側に設けられる。貫通孔２４は、貫通孔２５よりも上側に配置される。貫通孔２３Ａ、２４Ａ、２５Ａはそれぞれ、カバー２の左側に設けられ、貫通孔２３Ｂ、２４Ｂ、２５Ｂはそれぞれ、カバー２の右側に設けられる。貫通孔２３にベルト６Ａが挿通される。貫通孔２４にベルト６Ｂが挿通される。貫通孔２５にベルト６Ｃが挿通される。ベルト６Ａ〜６Ｃを総称して「ベルト６」という。
【００２４】
図３に示すように、カバー２の前面２１のうち座部２Ａの略中央部分に、矩形板状の緩衝材（「座部緩衝材」という。）２６が設けられる。カバー２の前面２１のうち背凭れ部２Ｂの略中央部分に、矩形板状の緩衝材（「背凭れ部緩衝材」という）２７が設けられる。座部緩衝材２６及び背凭れ部緩衝材２７は、それぞれウレタン製である。背凭れ部緩衝材２７の前側に、略長方形のポケット２１１が設けられる。ポケット２１１には、保冷剤を収容可能である。
【００２５】
＜吸気袋３＞
図５に示すように、吸気袋３は、カバー２（図３、図４参照）と略同一形状を有する。吸気袋３はカバー２に収容される。以下、吸気袋３がカバー２に収容された状態を想定し、カバー２の各方向の定義を吸気袋３にも適用する。
【００２６】
吸気袋３は、対向する２枚の略長方形の非通気性材料の周縁部を貼り合わせて成形された袋状を有する。吸気袋３は、カバー２に収容された状態で第１折り曲げ部２０（図３参照）に対応する位置で、前面と後面とが接合部３０によって接合される。接合部３０は、吸気袋３を上下方向に３等分する２つの等分線のうち下側の等分線に沿って配置される。接合部３０は、左右方向に直線状に延びる。吸気袋３の内部空間は、接合部３０によって２つに分割され、それぞれが独立した密閉空間を形成する。なお、吸気袋３は、接合部３０の位置で折り曲げ可能である。つまり、吸気袋３のうち接合部３０に対応する部分は、第２折り曲げ部３０Ａとして機能する。
【００２７】
吸気袋３は、接合部３０よりも下側且つ左右方向略中央の矩形状の領域３１で、前面と後面とが接合される。このため、吸気袋３のうち接合部３０よりも下側の密閉空間（「第１密閉空間」という。）は、略Ｕ字状に形成される。吸気袋３のうち接合部３０よりも下側の部分を、「座部袋３Ａ」という。なお、領域３１は、カバー２の座部２Ａに設けられた座部緩衝材２６（図３参照）に対して後側に対向する。
【００２８】
座部袋３Ａは、一対の第１脚保持部３６０及び第２脚保持部３６３を有する。一対の第１脚保持部３６０は、領域３１よりも左側を上下方向に延びる第１脚保持部３６１、及び、領域３１よりも右側を上下方向に延びる第１脚保持部３６２を有する。第１脚保持部３６１、３６２は、領域３１を挟んで左右方向に離隔する。第２脚保持部３６３は、第１脚保持部３６１、３６２のそれぞれの下側の端部の間に亘って左右方向に延びる。
【００２９】
座部袋３Ａの第１密閉空間に、発泡ビーズが充填される。発泡ビーズは、直径が数ｍｍの球形を有するポリスチレン製のビーズである。発泡ビーズは、座部袋３Ａの第１密閉空間から空気が抜かれていない状態で移動可能である。このため、座部袋３Ａの形状は、発泡ビーズが移動することに応じて自由に変形可能である。
【００３０】
領域３１の上下方向中央よりも下側に、貫通孔３１１Ｈ、３１２Ｈ（総称して「貫通孔３１Ｈ」という。）が設けられる。貫通孔３１１Ｈ、３１２Ｈは左右方向に並んで配置される。貫通孔３１１Ｈは、貫通孔３１２Ｈに対して左側に配置される。貫通孔３１Ｈには、カバー２の貫通孔２３（図３参照）を介して内部に挿通されるベルト６Ａ（図３参照）が挿通される。具体的には、ベルト６Ａは、カバー２の貫通孔２３Ａを介してカバー２内に挿入され、吸気袋３の第１脚保持部３６１の後側を通過し、貫通孔３１１Ｈを後側から前側に向けて挿通される。ベルト６Ａは、貫通孔３１１Ｈから貫通孔３１２Ｈまでの間、吸気袋３の領域３１の前側を通過する。ベルト６Ａは、貫通孔３１２Ｈを前側から後側に向けて挿通され、吸気袋３の第１脚保持部３６２の後側を通過し、カバー２の貫通孔２３Ｂを介してカバー２外に抜去される。
【００３１】
吸気袋３は、接合部３０よりも上側且つ左右方向略中央の矩形状の領域３２で、前面と後面とが接合される。このため、吸気袋３のうち接合部３０よりも上側の密閉空間（「第２閉空間」という。）は、略逆Ｕ字状に形成される。吸気袋３のうち接合部３０よりも上側の部分を、「背凭れ部袋３Ｂ」という。なお、領域３２は、カバー２の背凭れ部２Ｂに設けられた背凭れ部緩衝材２７（図３参照）に対して後側に対向する。
【００３２】
背凭れ部袋３Ｂは、一対の胴体保持部３７０及び頭保持部３７３を有する。一対の胴体保持部３７０は、領域３２よりも左側を上下方向に延びる胴体保持部３７１、及び、領域３２よりも右側を上下方向に延びる胴体保持部３７２を有する。胴体保持部３７１、３７２は、領域３２を挟んで左右方向に離隔する。頭保持部３７３は、胴体保持部３７１、３７２のそれぞれの上側の端部の間に亘って左右方向に延びる。
【００３３】
背凭れ部袋３Ｂの第２密閉空間に、区画袋３８１、３８２、３８３、３８４（総称して「区画袋３８０」という。）が収容される。区画袋３８０は、対向する２枚の略長方形の通気性材料の周縁部を貼り合わせて成形された袋状を有する。区画袋３８０には発泡ビーズが充填される。区画袋３８１は胴体保持部３７１に収容される。区画袋３８２は胴体保持部３７２に収容される。区画袋３８３は、頭保持部３７３の左右方向中央よりも左側に収容される。区画袋３８４は、頭保持部３７３の左右方向中央よりも右側に収容される。区画袋３８０の表面は、それぞれの位置で背凭れ部袋３Ｂの内壁に接着される。このため、背凭れ部袋３Ｂ内での区画袋３８０の移動は抑制される。
【００３４】
区画袋３８０は、上下方向略中央の位置で前面と後面とが仕切り部３９によって接合される。仕切り部３９は、左右方向に直線状に延びる。区画袋３８０の内部空間は、仕切り部３９によって上下方向に２つに分割され、それぞれが独立した空間を形成する。区画袋３８０の２つの内部空間のそれぞれに、発泡ビーズが充填される。発泡ビーズは、背凭れ部袋３Ｂの第２密閉空間から空気が抜かれていない状態で、区画袋３８０内を移動可能である。このため、背凭れ部袋３Ｂの形状は、区画袋３８０内を発泡ビーズが移動することに応じて自由に変形可能である。
【００３５】
領域３２の上端部近傍に、貫通孔３２１Ｈ、３２２Ｈ（総称して「貫通孔３２Ｈ」という。）が設けられる。貫通孔３２１Ｈ、３２２Ｈは左右方向に並んで配置される。貫通孔３２１Ｈは、貫通孔３２２Ｈに対して左側に配置される。貫通孔３２Ｈには、カバー２の貫通孔２４（図３参照）を介して内部に挿通されるベルト６Ｂ（図３参照）が挿通される。具体的には、ベルト６Ｂは、カバー２の貫通孔２４Ａを介してカバー２内に挿入され、吸気袋３の胴体保持部３７１の後側を通過し、貫通孔３２１Ｈを後側から前側に向けて挿通される。ベルト６Ｂは、貫通孔３２１Ｈから貫通孔３２２Ｈまでの間、吸気袋３の領域３２の前側を通過する。ベルト６Ｂは、貫通孔３２２Ｈを前側から後側に向けて挿通され、吸気袋３の胴体保持部３７２の後側を通過し、カバー２の貫通孔２４Ｂを介してカバー２外に抜去される。
【００３６】
＜吸気機構５＞
吸気袋３の座部袋３Ａのうち第１脚保持部３６１の上下方向略中央に、座部吸気機構５Ａが接続される。座部吸気機構５Ａは、座部袋３Ａの第１密閉空間から空気を抜くためのホース状の吸気バルブである。吸気袋３の背凭れ部袋３Ｂのうち頭保持部３７３の左端部に、背凭れ部吸気機構５Ｂが接続される。背凭れ部吸気機構５Ｂは、背凭れ部袋３Ｂの第２密閉空間から空気を抜くためのホース状の吸気バルブである。以下、座部吸気機構５Ａ及び背凭れ部吸気機構５Ｂを総称して、「吸気機構５」という。吸気機構５は、座部袋３Ａ及び背凭れ部袋３Ｂからそれぞれ別々に空気を抜くことが可能となる。
【００３７】
図１に示すように、座部吸気機構５Ａ及び背凭れ部吸気機構５Ｂは、それぞれ、カバー２に吸気袋３が収容された状態で、カバー２の左側面に設けられた穴から外部に突出する。座部吸気機構５Ａ及び背凭れ部吸気機構５Ｂのそれぞれの先端に、吸気袋３から空気を抜いた後で吸気袋３内に空気が逆流することを防止する逆流防止弁５０が設けられる。
【００３８】
＜座位保持具１の使用方法＞
図１、図２を参照し、椅子９に座位保持具１が載置されて使用される場合を例に挙げて説明する。座位保持具１は、カバー２の座部２Ａと背凭れ部２Ｂとのなす角度が略９０度となるように、第１折り曲げ部２０及び第２折り曲げ部３０Ａ（図５参照）の位置で折り曲げられる。座位保持具１は、カバー２の後面２２（図４参照）のうち座部２Ａに対応する部分が椅子９の座面９Ａに上側から接触した状態で、椅子９に載置される。カバー２の後面２２のうち背凭れ部２Ｂに対応する部分は、椅子９の背凭れ９Ｂに前側から接触する。つまり、座位保持具１のカバー２の後面２２は、椅子９に沿って配置される。
【００３９】
ベルト６Ａの両端部は、椅子９の座面９Ａの下側に誘導される。ベルト６Ａの両端に設けられた非図示の留め具が互いに接続される。この状態で、ベルト６Ａの長さが調節される。これによって、座位保持具１のうちカバー２の座部２Ａに対応する部分は、椅子９の座面９Ａに固定される。ベルト６Ｂの両端部は、椅子９の背凭れ９Ｂの後側に誘導される。図２に示すように、ベルト６Ｂの両端に設けられた留め具６２が互いに接続される。この状態で、ベルト６Ｂの長さが調節される。これによって、座位保持具１のうちカバー２の背凭れ部２Ｂに対応する部分は、椅子９の背凭れ９Ｂに固定される。
【００４０】
上記のように座位保持具１が椅子９に固定された状態で、使用者は座位保持具１に着座する。座位保持具１のうち吸気袋３の一対の第１脚保持部３６０（図５参照）に対応する部分が、前側に曲折される。これによって、使用者の腰から脚の付け根に至る部分の側部に沿って座位保持具１が配置される。座位保持具１のうち吸気袋３の第２脚保持部３６３（図５参照）に対応する部分が、前側に曲折される。これによって、使用者の膝裏部分に沿って座位保持具１が配置される。座位保持具１のうち吸気袋３の一対の胴体保持部３７０（図５参照）に対応する部分が、前側に曲折される。これによって、使用者の胴体の側部に沿って座位保持具１が配置される。座位保持具１のうち吸気袋３の頭保持部３７３（図５参照）に対応する部分の左右両端部が、前側に曲折される。これによって、使用者の頭の側部に沿って座位保持具１が配置される。
【００４１】
吸気袋３の座部袋３Ａの第１密閉空間の空気が、座部吸気機構５Ａを介して抜かれる。これによって、座部袋３Ａに充填された発泡ビーズは互いに密着し、移動不能となる。座位保持具１は、吸気袋３の一対の第１脚保持部３６０（図５参照）及び第２脚保持部３６３（図５参照）に対応する部分が前側に曲折された状態で固定される。座位保持具１のうち吸気袋３の一対の第１脚保持部３６０に対応する部分は、使用者の腰から脚の付け根に至る部分を左右両側から支持する。座位保持具１のうち吸気袋３の第２脚保持部３６３（図５参照）に対応する部分は、使用者の膝裏部分を下側から支持する。これらによって、着座した使用者の下半身は、座位保持具１によって支持される。
【００４２】
吸気袋３の背凭れ部袋３Ｂの第２密閉空間の空気が、背凭れ部吸気機構５Ｂを介して抜かれる。これによって、背凭れ部袋３Ｂに収容された区画袋３８０内の発泡ビーズは、互いに密着し、移動不能となる。座位保持具１は、吸気袋３の一対の胴体保持部３７０（図５参照）及び頭保持部３７３（図５参照）に対応する部分が前側に曲折された状態で固定される。座位保持具１のうち吸気袋３の一対の胴体保持部３７０に対応する部分は、使用者の胴体を左右両側から支持する。座位保持具１のうち吸気袋３の頭保持部３７３（図５参照）に対応する部分は、使用者の頭の側部を左右両側から支持する。これらによって、着座した使用者の上半身は、座位保持具１によって左右両側から支持される。
【００４３】
環状のベルト６Ｃが、使用者の胸部及び腹部の前側に配置される。ベルト６Ｃの両端部は、使用者の両脇の下を通され、更に、座位保持具１のカバー２の貫通孔２５（図３、図４参照）に挿入される。ベルト６Ｃの両端部は、座位保持具１のカバー２の内部で連結される。これによって、着座した使用者は、前側から支持される。
【００４４】
＜本実施形態の主たる作用、効果＞
以上のように、座位保持具１は、吸気袋３から吸気機構５を介して空気を抜くことによって、吸気袋３内で発泡ビーズを密着させて固定できる。このため例えば、使用者が座位保持具１に着座した状態で、座位保持具１のうちカバー２の座部２Ａに対応する部分の一部が、使用者の脚の側部に沿うように前側に折り曲げられる。又、座位保持具１のうちカバー２の背凭れ部２Ｂに対応する部分の一部が、使用者の頭及び胴体の側部に沿うように前側に折り曲げられる。その後、吸気袋３から空気が抜かれる。この場合、座位保持具１は、使用者の頭、胴体、及び、脚のそれぞれの側部に沿った状態で固定される。つまり、使用者は、座位保持具１によって体全体が左右両側から支持される。このため、使用者の着座姿勢は、座位保持具１によって適切に維持される。従って、座位保持具１は、使用者の着座姿勢がずれることを適切に抑制できる。なお、吸気機構５は逆流防止弁５０を備えているので、吸気袋３から空気を抜いた状態で長時間保持できる。
【００４５】
座位保持具１において、吸気袋３は接合部３０によって分割され、座部袋３Ａと背凭れ部袋３Ｂとが形成される。座部袋３Ａは、カバー２の座部２Ａの内部に配置される。背凭れ部袋３Ｂは、カバー２の背凭れ部２Ｂの内部に配置される。座部袋３Ａ及び背凭れ部袋３Ｂは、それぞれが独立した密閉空間を形成する。この場合、座位保持具１は、座部袋３Ａと背凭れ部袋３Ｂとの間で発泡ビーズが相互に移動することを防止できる。従って、座位保持具１は、例えば重力によって発泡ビーズが背凭れ部袋３Ｂ側から座部袋３Ａ側に移動して偏在化することを防止できる。このため、座位保持具１は、使用者の体全体を均一に支持できるので、使用者の着座姿勢がずれることを更に適切に抑制できる。
【００４６】
吸気袋３の背凭れ部袋３Ｂは、一対の胴体保持部３７０及び頭保持部３７３を有する。胴体保持部３７１、３７２は左右方向に離隔する。頭保持部３７３は、胴体保持部３７１、３７２のそれぞれの上側の端部の間に亘って左右方向に延びる。この場合、座位保持具１は、胴体保持部３７１、３７２に対応する部分によって使用者の胴体を左右両側から適切に支持できる。又、座位保持具１は、頭保持部３７３に対応する部分によって使用者の頭を左右両側から適切に支持できる。従って、座位保持具１は、使用者の上半身を適切に支持することによって、使用者の着座姿勢がずれることを抑制できる。
【００４７】
吸気袋３の座部袋３Ａは、一対の第１脚保持部３６０及び第２脚保持部３６３を有する。第１脚保持部３６１、３６２は、領域３１を挟んで左右方向に離隔する。第２脚保持部３６３は、第１脚保持部３６１、３６２のそれぞれの下側の端部の間に亘って左右方向に延びる。この場合、座位保持具１は、第１脚保持部３６１、３６２に対応する部分によって使用者の腰から脚の付け根に亘る部分を左右両側から適切に支持できる。又、座位保持具１は、第２脚保持部３６３に対応する部分によって使用者の脚の膝裏部分を適切に支持できる。従って、座位保持具１は、使用者の下半身を適切に支持することによって、使用者の着座姿勢がずれることを抑制できる。
【００４８】
カバー２は、座部２Ａと背凭れ部２Ｂとの境界部分に、折り曲げ可能な第１折り曲げ部２０を有する。吸気袋３は、第１折り曲げ部２０に対応する位置に第２折り曲げ部３０Ａを有する。この場合、使用者は、座位保持具１を第１折り曲げ部２０及び第２折り曲げ部３０Ａで折り曲げて使用することによって、座部２Ａを椅子９の座面９Ａに沿って配置させ、且つ、背凭れ部２Ｂを椅子９の背凭れ９Ｂに沿って配置させることができる。又、座位保持具１は、第１折り曲げ部２０及び第２折り曲げ部３０Ａによって折りたたむことで小型化できるので、使用者による持ち運びを容易化できる。
【００４９】
座位保持具１は、カバー２の前面２１のうち、一対の胴体保持部３７０の間の領域３２に対応する位置に、背凭れ部緩衝材２７を有する。この場合、使用者が座位保持具１に着座したときに、使用者の背中に背凭れ部緩衝材２７を接触させることができる。このため、座位保持具１は、使用者が着座したときの衝撃を背凭れ部緩衝材２７によって和らげたり、背凭れ部緩衝材２７によって床ずれを防止したりできる。特に、座位保持具１のうち、吸気袋３の領域３２には発泡ビーズが充填されていないため、この部分に背凭れ部緩衝材２７を設けることによって、底付き感を抑制できるため好ましい。
【００５０】
座位保持具１は、カバー２の前面２１のうち一対の第１脚保持部３６０の間の領域３１に対応する位置に、座部緩衝材２６を有する。この場合、使用者が座位保持具１に着座したときに、使用者の尻に座部緩衝材２６を接触させることができる。このため、座位保持具１は、使用者が着座したときの衝撃を座部緩衝材２６によって和らげたり、座部緩衝材２６によって床ずれを防止したりできる。特に、座位保持具１のうち、吸気袋３の領域３１には発泡ビーズが充填されていないため、この部分に座部緩衝材２６を設けることによって、底付き感を抑制できるため好ましい。
【００５１】
吸気袋３の背凭れ部袋３Ｂの第２密閉空間に、区画袋３８０が収容される。区画袋３８０は通気性を有し、発泡ビーズを収容する。区画袋３８０は背凭れ部袋３Ｂの内壁に接着される。このため、背凭れ部袋３Ｂ内での区画袋３８０の移動は抑制される。この場合、座位保持具１は、吸気袋３の背凭れ部袋３Ｂ内で発泡ビーズが偏在化することを防止できる。従って、座位保持具１は、吸気袋３の背凭れ部袋３Ｂから空気が抜かれた場合において、背凭れ部袋３Ｂの全域に亘って固定化できるので、座位保持具１全体で使用者を均一に支持できる。このため、座位保持具１は、使用者の着座姿勢がずれることを更に適切に抑制できる。
【００５２】
区画袋３８０には、内部空間を仕切って上下方向に２つに分割する仕切り部３９が設けられる。この場合、座位保持具１は、区画袋３８０内で発泡ビーズが重力によって下方に移動し偏在化することを適切に防止できる。
【００５３】
吸気袋３の座部袋３Ａに、第１密閉空間から空気を抜くための座部吸気機構５Ａが接続される。吸気袋３の背凭れ部袋３Ｂに、第２密閉空間から空気を抜くための背凭れ部吸気機構５Ｂが接続される。この場合、座位保持具１は、吸気袋３の座部袋３Ａと背凭れ部袋３Ｂとのそれぞれから別々に空気を抜くことができる。従って、座位保持具１は、座部袋３Ａに対応する部分によって使用者の下半身のみ支持した状態とすることができる。同様に、座位保持具１は、背凭れ部袋３Ｂに対応する部分によって使用者の上半身のみ支持した状態とすることができる。更に、座位保持具１は、座部袋３Ａから空気を抜く作業と、背凭れ部袋３Ｂから空気を抜く作業とを別々に行うことができる。従って、使用者は、座位保持具１から空気を抜くそれぞれの作業を効率的に実行できる。
【００５４】
カバー２は、貫通孔２３、２４を備え、吸気袋３は、貫通孔３１Ｈ、３２Ｈを備える。ベルト６Ａは、貫通孔２３、３１Ｈに挿通し、椅子９の座面９Ａに固定される。ベルト６Ｂは、貫通孔２４、３２Ｈに挿通し、椅子の背凭れ９Ｂに固定される。この場合、座位保持具１は、カバー２と吸気袋３とをそれぞれ椅子９に固定させることができるので、座位保持具１が椅子９からずれることを防止できる。又、座位保持具１は、カバー２と吸気袋３との相対位置がずれることを、ベルト６Ａ，６Ｂによって防止できる。
【００５５】
座位保持具１のカバー２に、保冷剤を収容可能なポケット２１１が設けられる。この場合、座位保持具１は、使用者の着座姿勢を維持しつつ、使用者の局部を保冷剤によって冷却できる。
【００５６】
＜変形例＞
本発明は上記実施形態に限定されず、種々の変更が可能である。吸気袋３は、接合部３０によって分割されていなくてもよい。吸気袋３は、座部袋３Ａと背凭れ部袋３Ｂとの間で発泡ビーズを移動可能としてもよい。吸気袋３の座部袋３Ａは、一対の第１脚保持部３６０及び第２脚保持部３６３に対応する部分がそれぞれ密閉空間を形成するように分割されていてもよい。吸気袋３の背凭れ部袋３Ｂは、一対の胴体保持部３７０及び頭保持部３７３に対応する部分がそれぞれ密閉空間を形成するように分割されていてもよい。
【００５７】
吸気袋３の背凭れ部袋３Ｂの一対の胴体保持部３７０は、領域３２によって左右方向に分割されず、左右方向の全域に亘って設けられていてもよい。吸気袋３の座部袋３Ａの一対の第１脚保持部３６０は、領域３１によって左右方向に分割されず、左右方向の全域に亘って設けられていてもよい。
【００５８】
座位保持具１は、カバー２の第１折り曲げ部２０に対応する部分で、座部２Ａと背凭れ部２Ｂとのなす角度が略９０度となった状態で保持されてもよい。つまり、座位保持具１は、カバー２の第１折り曲げ部２０に対応する位置で予め屈曲された状態であってもよい。
【００５９】
座部緩衝材２６は、カバー２の前面２１のうち吸気袋３の領域３１に対応する部分以外に設けられてもよい。例えば、座部緩衝材２６は、カバー２の前面２１のうち座部２Ａに対応する全域に亘って設けられていてもよい。背凭れ部緩衝材２７は、カバー２の前面２１のうち吸気袋３の領域３２に対応する部分以外に設けられてもよい。例えば、背凭れ部緩衝材２７は、カバー２の前面２１のうち背凭れ部２Ｂに対応する全域に亘って設けられていてもよい。つまり、カバー２の前面２１の全域に亘って緩衝材が設けられていてもよい。
【００６０】
発泡ビーズが充填された区画袋３８０の個数は、上記実施形態に限定されないことは言うまでもない。又、吸気袋３の座部袋３Ａ内に区画袋が収容されていてもよい。又、区画袋３８０の仕切り部３９の形状は、左右方向に延びる直線状に限定されず、曲線状、ジグザグ等、別の形状であってもよい。仕切り部３９は、区画袋３８０の内部空間を左右方向に分割してもよい。区画袋３８０に仕切り部３９は設けられていなくてもよい。
【００６１】
ベルト６は、カバー２に直接接続されていてもよいし、吸気袋３に直接接続されていてもよい。座位保持具１は、椅子９に固定するための部材を、ベルト６とは別に有していてもよい。この場合、座位保持具１はベルト６を有していなくてもよい。カバー２に設けられるポケット２１１の位置は、カバー２の前面２１のうち背凭れ部２Ｂの略中央部分に限定されず、他の位置に設けられていてもよい。カバー２にポケット２１１は設けられていなくてもよい。
【符号の説明】
【００６２】
１        ：座位保持具
２        ：カバー
２Ａ      ：座部
２Ｂ      ：背凭れ部
３        ：吸気袋
３Ａ      ：座部袋
３Ｂ      ：背凭れ部袋
５        ：吸気機構
５Ａ      ：座部吸気機構
５Ｂ      ：背凭れ部吸気機構
６Ａ，６Ｂ        ：ベルト
２０      ：第１折り曲げ部
２６      ：座部緩衝材
２７      ：背凭れ部緩衝材
３０Ａ    ：第２折り曲げ部
３９      ：仕切り部
２１１    ：ポケット
３６０、３６１、３６２    ：第１脚保持部
３６３    ：第２脚保持部
３７０、３７１、３７２    ：胴体保持部
３７３    ：頭保持部
３８０、３８１、３８２、３８３、３８４    ：区画袋
【図１】
2018149021.tif 000003
【図２】
2018149021.tif 000004
【図３】
2018149021.tif 000005
【図４】
2018149021.tif 000006
【図５】
2018149021.tif 000007